【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
チャネル非依存の手法におけるデータの空間的なプリコーディングの方法であって、
前記方法は、通信チャネル（１６）の送信ランクに基づいて送信ランクを選択することを含み、
前記方法は、
前記送信ランクに基づいて、単一の生成行列の列のサブセットに等しい１つ以上のプリコーディングフィルタのセット（１２４）を選択することと、
リモート装置（２００）への送信のためのデータを、前記予め決定されるプリコーディングシーケンスのプリコーディング周期内の異なるプリコーディング間隔の間においては、前記プリコーディングフィルタのうち異なるものを用いてプリコーディングすることと、
を特徴とする、方法。
【請求項２】
１つ以上のプリコーディングフィルタのセット（１２４）の選択は、各プリコーディングフィルタについて前記生成行列から１つ以上の列を選択することを含み、各プリコーディングフィルタについて選択される列の数は、前記送信ランクに等しい、請求項１に記載の方法。
【請求項３】
１つ以上のプリコーディングフィルタのセット（１２４）の選択は、プリコーディングフィルタのセット内のどの２つのプリコーディングフィルタ間のサブ空間の最小距離も予め決定される距離の基準に従って最大化されるように、プリコーディングフィルタのセットを選択すること、をさらに含む、請求項２に記載の方法。
【請求項４】
前記距離の基準は、弦、射影２−ノルム、又はＦｕｂｉｎｉ−Ｓｔｕｄｙ距離のうち少なくとも１つを含む、請求項３に記載の方法。
【請求項５】
１つ以上のプリコーディングフィルタのセットの選択（１５４）は、前記生成行列の各列が同じ回数だけ使用されるように前記プリコーディングフィルタのセットを選択すること、を含む、請求項２〜４のいずれかに記載の方法。
【請求項６】
前記生成行列は、ＱＰＳＫアルファベット生成行列を含む、請求項１〜５のいずれかに記載の方法。
【請求項７】
前記方法は、直交周波数分割多重（ＯＦＤＭ）システムに適用され、リモート装置（２００）への送信のためのデータのプリコーディングは、予め決定される前記プリコーディング周期の間にＯＦＤＭリソースブロックを交互のパターンで横断すること、を含む、請求項１〜６のいずれかに記載の方法。
【請求項８】
前記交互のパターンは、偶数番目のシンボル期間内で周波数順に上から下まで及び奇数番目のシンボル期間内で周波数順に下から上まで、又はその逆を含む、請求項７に記載の方法。
【請求項９】
予め決定される前記プリコーディング周期内のプリコーディング間隔の数は、選択される前記送信ランクについての列の組合せの候補の数と等しく、前記セット内の各プリコーディングフィルタは、前記生成行列からの列の前記組合せの候補の１つを含む、請求項５に記載の方法。
【請求項１０】
リモート装置（２００）への送信のためのデータのプリコーディングは、予め決定される前記プリコーディング周期にわたって、前記プリコーディングフィルタのセット内の各プリコーディングフィルタを同じ回数だけ使用することによりデータをプリコーディングすること、を含む、請求項１〜４のいずれかに記載の方法。
【請求項１１】
予め決定される前記プリコーディング周期内の前記プリコーディングフィルタは、選択される送信ランクについて、連続して使用されるプリコーディングフィルタの重複しない固定的なサイズの集合がいかなる列も共有しないように順序付けされる、請求項２〜４のいずれかに記載の方法。
【請求項１２】
チャネル非依存の手法においてデータを空間的にプリコーディングして送信するための送信機（１００）であって：
通信チャネルの送信ランクを判定し、前記送信ランクに基づいて単一の生成行列の列のサブセットに等しい１つ以上のプリコーディングフィルタのセット（１２４）を選択するように構成される送信コントローラ（１１０）と；
送信のための前記データを、前記予め決定されるプリコーディングシーケンスのプリコーディング周期内の異なるプリコーディング間隔の間において、前記プリコーディングフィルタのうち異なるものを用いてプリコーディングするように構成されるプリコーダ（１２４）、を含む送信信号プロセッサ（１２０）と；
を備える送信機（１００）。
【請求項１３】
前記送信信号プロセッサ（１２０）は、各プリコーディングフィルタについて前記生成行列から１つ以上の列を選択するようにさらに構成され、各プリコーディングフィルタ内の列の数は、前記送信ランクに等しい、請求項１２に記載の送信機（１００）。
【請求項１４】
前記送信信号プロセッサ（１２０）は、前記セット内のどの２つのプリコーディングフィルタ間のサブ空間の最小距離をも予め決定される距離の基準に従って最大化するように、前記セットを選択するようにさらに構成される、請求項１３に記載の送信機（１００）。
【請求項１５】
前記距離の基準は、弦、射影２−ノルム、又はＦｕｂｉｎｉ−Ｓｔｕｄｙ距離のうち少なくとも１つを含む、請求項１４に記載の送信機（１００）。
【請求項１６】
前記送信信号プロセッサ（１２０）は、選択される前記プリコーディングフィルタのセットが前記生成行列の各列を同じ回数だけ使用するように、前記プリコーディングフィルタのセットを選択するようにさらに構成される、請求項１４〜１５のいずれかに記載の送信機（１００）。
【請求項１７】
前記生成行列は、ＱＰＳＫアルファベット生成行列を含む、請求項１２〜１５のいずれかに記載の送信機（１００）。
【請求項１８】
前記送信信号プロセッサ（１２０）は、予め決定される前記プリコーディング周期の間にＯＦＤＭリソースブロックを交互のパターンで横断することによりリモート装置（２００）への送信のためのデータをプリコーディングするようにさらに構成される、直交周波数分割多重（ＯＦＤＭ）システムのための請求項１２〜１５のいずれかに記載の送信機（１００）。
【請求項１９】
前記交互のパターンは、偶数番目のシンボル期間内で周波数順に上から下まで及び奇数番目のシンボル期間内で周波数順に下から上まで、又はその逆を含む、請求項１８に記載の送信機（１００）。
【請求項２０】
予め決定される前記プリコーディング周期内のプリコーディング間隔の数は、選択される前記送信ランクについての列の組合せの候補の数と等しく、前記セット内の各プリコーディングフィルタは、前記生成行列からの列の前記組合せの候補の１つを含む、請求項１６に記載の送信機（１００）。
【請求項２１】
前記送信信号プロセッサ（１２０）は、予め決定される前記プリコーディング周期にわたって、前記プリコーディングフィルタのセット内の各プリコーディングフィルタを同じ回数だけ使用することによりデータをプリコーディングするようにさらに構成される、請求項１２〜１５のいずれかに記載の送信機（１００）。
【請求項２２】
前記送信信号プロセッサ（１２０）は、選択される送信ランクについて、連続して使用されるプリコーディングフィルタの重複しない固定的なサイズの集合がいかなる列も共有しないように、予め決定される前記プリコーディング周期内で前記プリコーディングフィルタを適用するようにさらに構成される、請求項１３〜１５のいずれかに記載の送信機（１００）。
【請求項２３】
チャネル非依存の手法においてプリコーディングされた、リモート装置（１００）から受信される空間的にプリコーディングされたデータの受信の方法であって、
前記方法は、送信機において適用された送信ランクを判定することを含み、
前記方法は、
前記送信ランクに基づいて１つ以上の合成フィルタのセット（２２４）を選択することと、
プリコーディングフィルタのセットに対応する前記合成フィルタは、単一の生成行列の列のサブセットに等しいことと、
予め決定される合成シーケンスの合成周期内の異なる合成間隔の間においては、前記合成フィルタのうち異なるものを用いて前記空間的にプリコーディングされたデータを合成することと、
を特徴とする、方法。
【請求項２４】
１つ以上の合成フィルタのセット（２２４）の選択は、各合成フィルタについて前記生成行列から１つ以上の列を選択することを含み、各合成フィルタについて選択される列の数は、前記送信ランクに等しい、請求項２３に記載の方法。
【請求項２５】
１つ以上の合成フィルタのセット（２２４）の選択は、前記生成行列の各列が同じ回数だけ使用されるように前記合成フィルタのセットを選択すること、を含む、請求項２４に記載の方法。
【請求項２６】
前記方法は、直交周波数分割多重（ＯＦＤＭ）システムに適用され、前記空間的にプリコーディングされたデータの合成は、予め決定される前記合成周期の間にＯＦＤＭリソースブロックを交互のパターンで横断すること、を含む、請求項２３〜２５のいずれかに記載の方法。
【請求項２７】
前記交互のパターンは、偶数番目のシンボル期間内で周波数順に上から下まで及び奇数番目のシンボル期間内で周波数順に下から上まで、又はその逆を含む、請求項２６に記載の方法。
【請求項２８】
予め決定される前記合成周期内の合成間隔の数は、選択される前記送信ランクについての列の組合せの候補の数と等しく、前記セット内の各合成フィルタは、前記生成行列からの列の前記組合せの候補の１つを含む、請求項２３〜２５のいずれかに記載の方法。
【請求項２９】
前記合成フィルタのセット内の各合成フィルタは、予め決定される前記合成周期にわたって同じ回数だけ使用される、請求項２３〜２５のいずれかに記載の方法。
【請求項３０】
予め決定される前記合成周期内の前記合成フィルタは、選択される送信ランクについて、連続して使用される合成フィルタの重複しない固定的なサイズの集合がいかなる列も共有しないように順序付けされる、請求項２４〜２５のいずれかに記載の方法。
【請求項３１】
チャネル非依存の手法においてプリコーディングされた、空間的にプリコーディングされたデータを受信するための受信機であって：
送信機（１００）において適用された送信ランクを判定し、前記送信ランクに基づく単一の生成行列の列のサブセットに等しいプリコーディングフィルタのセットに対応する１つ以上の合成フィルタのセット（２２４）を選択するように構成される受信コントローラ（２１０）と；
予め決定される合成シーケンスの予め決定される合成周期内の異なる合成間隔の間においては、前記合成フィルタのうち異なるものを用いて前記空間的にプリコーディングされたデータを合成するように構成される合成部（２２４）、を含む受信信号プロセッサ（２２０）と；
を備える、受信機。
【請求項３２】
前記受信信号プロセッサ（２２０）は、各合成フィルタについて前記生成行列の１つ以上の列を選択するようにさらに構成され、各合成フィルタについて選択される列の数は、前記送信ランクに等しい、請求項３１に記載の受信機。
【請求項３３】
前記受信信号プロセッサ（２２０）は、前記生成行列の各列が同じ回数だけ使用されるように前記合成フィルタのセット（２２４）を選択するようにさらに構成される、請求項３２に記載の受信機。
【請求項３４】
前記受信信号プロセッサ（２１０）は、前記プリコーディングされたデータを、予め決定される前記合成周期の間にＯＦＤＭリソースブロックを交互のパターンで横断しながら合成する、直交周波数分割多重（ＯＦＤＭ）システムに適用される請求項３１〜３３のいずれかに記載の受信機。
【請求項３５】
前記交互のパターンは、偶数番目のシンボル期間内で周波数順に上から下まで及び奇数番目のシンボル期間内で周波数順に下から上まで、又はその逆を含む、請求項３４に記載の受信機。
【請求項３６】
予め決定される前記合成周期内の合成間隔の数は、選択される前記送信ランクについての列の組合せの候補の数と等しく、前記セット内の各合成フィルタは、前記生成行列からの列の前記組合せの候補の１つを含む、請求項３１〜３３のいずれかに記載の受信機。
【請求項３７】
前記合成フィルタのセット内の各合成フィルタは、予め決定される前記合成周期にわたって同じ回数だけ使用される、請求項３１〜３３のいずれかに記載の受信機。
【請求項３８】
予め決定される前記合成周期内の前記合成フィルタは、選択される送信ランクについて、連続して使用される合成フィルタの重複しない固定的なサイズの集合がいかなる列も共有しないように順序付けされる、請求項３２〜３３のいずれかに記載の受信機。
【手続補正２】
【補正対象書類名】明細書
【補正対象項目名】００２８
【補正方法】変更
【補正の内容】
【００２８】
図４は、多重アンテナ送信機１００からの信号の送信の一例としての方法を示している。送信コントローラ１１０は、チャネルのランクを判定し、所望の送信ランクを選択する（ブロック１５２）。チャネルのランクは、従来の手法で判定されてもよい。送信ランクは、チャネルがサポート可能な出来るだけ多くの送信レイヤを使用するように選択される。送信ランクが判定されると、送信コントローラ１１０は、選択された送信ランクを送信信号プロセッサ１２０に指示する。送信信号プロセッサ１２０は、その送信ランクに対応するプリコーダシーケンスを選択する（ブロック１５４）。上述したように、送信ランクの各候補についてのプリコーダシーケンスを、送信機１００は事前に知得している。プリコーダシーケンスは、使用すべきプリコーディングフィルタのセットとプリコーディングフィルタが適用される順序とを決定する。プリコーディングフィルタは、メモリ内に予め記憶されてもよい。その代わりに、メモリ内に生成行列が記憶され、送信ランクの判定後にその生成行列から実行時にプリコーディングフィルタが構築されてもよい。プリコーディングフィルタの選択されたセットを用いて、送信信号プロセッサ１２０は、情報信号をプリコーディングし（ブロック１５６）、プリコーディングされたシンボルを送信する（ブロック１５８）。プリコーディングの間、送信機１００は、ＯＦＤＭグリッドを横断しながら、プリコーディングフィルタを変化させ又は循環させる。例えば、プリコーディングフィルタは、１つ以上のサブキャリアのセットに対して固定されたまま維持され、選択されるプリコーダシーケンスに従ってサブキャリアの次のセットに対して変更され得る。
【手続補正３】
【補正対象書類名】明細書
【補正対象項目名】００３０
【補正方法】変更
【補正の内容】
【００３０】
図６は、多重アンテナ送信機１００からの信号の受信の一例としての方法２５０を示している。受信コントローラ２１０は、送信機１００によって使用された送信ランクを判定する（ブロック２５２）。送信機１００は、シグナリングメッセージ内で送信ランクを受信機２００に通知してもよい。その代わりに、受信機は、チャネルのランクに基づいて自ら送信ランクを判定してもよい。送信ランクが判定されると、受信コントローラ２１０は、選択された送信ランクを受信信号プロセッサ２２０に指示する。受信信号プロセッサ２２０は、その送信ランクに対応する、受信機２００によって事前に知得される合成シーケンスを選択する（ブロック２５４）。合成シーケンスは、使用すべき合成グフィルタのセットと合成フィルタが適用される順序とを決定する。合成フィルタは、メモリ内に予め記憶されてもよい。その代わりに、メモリ内に生成行列が記憶され、送信ランクの判定後にその生成行列から実行時に合成フィルタが構築されてもよい。合成フィルタの選択されたセットを用いて、受信信号プロセッサ２２０は、各ＦＦＴプロセッサ２２６からの出力を合成して各レイヤに対応するシンボルストリームを生成する（ブロック２５６）。そして、各レイヤに対応するシンボルストリームは、逆レイヤマッピング部２２２へ出力される（ブロック２５８）。